(57)【要約】      （修正有）【課題】使用日数が増えても蓄光性能及び広告効果を維持することが可能で、且つコストダウンが可能な筆記具を提供する。【解決手段】筆記具１０は、線を描くことが可能なチップ１１が本体となる胴軸２の先端から露出し、胴軸２には、高輝度長残光性蓄光顔料による塗蓄光材料が塗布されて蓄光層が外面に形成され且つ蓄光層の表面に文字等の印刷３１が設けられている蓄光軸３が外嵌され、更に、蓄光軸３には蓄光層及び印刷３１の擦れを防止する円筒状で透明な保護筒４が外嵌されている。【選択図】図１
0003172555.tif 000002
【実用新案登録請求の範囲】
【請求項１】
外側表面に蓄光材料を塗布した蓄光層が設けられ、前記蓄光層の表面に文字や図形等を印刷した第一の筒状体と、
前記第一の筒状体に配置された透明な第二の筒状体と、
を備えてなることを特徴とする筆記具。
【請求項２】
請求項１に記載の筆記具において、
前記第一の筒状体を透明とすると共に当該第一の筒状体の一部に前記蓄光材料の塗布及び文字や図形等の印刷を行わない部分を設け、前記第二の筒状体及び前記第一の筒状体を透過した光が当該第一の筒状体の内側表面に到達可能とすることにより前記蓄光層の裏側からも蓄光させるようにしたことを特徴とする筆記用具。
【請求項３】
請求項１又は２に記載の筆記用具において、
前記蓄光材料は、高輝度長残光性蓄光顔料であることを特徴とする筆記具。
【請求項４】
請求項１又は２に記載の筆記具において、
前記第二の筒状体の外側表面に設けられた前記蓄光層は、蓄光性能が高い粒度の粗い蓄光材料を下層とし、それよりも粒度の細かい蓄光材料をその上層となるようにして順次印刷によって塗布することにより複数層としたことを特徴とする筆記具。
【考案の詳細な説明】
【技術分野】
【０００１】
本考案は、蓄光材料を利用した筆記用具に関し、特に、蓄光材料を塗布した蓄光層の表面に描いた文字や図形を暗所でも明確に認識可能とし、それによって、例えば、優れた広告効果を発揮させることが可能な筆記具に関する。
【背景技術】
【０００２】
ボールペン等の筆記具は使用の必要性も高く、しかも安価に提供可能であることから、店舗の広告宣伝などの際における粗品や販促品として多数が無償配布されている。この場合、配布する筆記具、例えば、ボールペンの本体の側面に社名、電話番号、キャッチフレーズ、メッセージ等を印刷することにより店舗の存在を消費者に広く認知してもらうという効果がある。
【０００３】
しかしながら、ボールペンの本体の側面に単に文字等を印刷することは普通に行われる方法であるため、他店（他社）で配布されるものとの区別がつきにくく、広告効果があまり高いとはいえない。そこで、蓄光材料を混入させた合成樹脂によってボールペンの本体を形成し、その本体の表面に文字等を印刷することにより暗い場所でも認識できるようにしたものがある。ここで、蓄光材料を混入させた合成樹脂材料を用いてボールペンを形成することについては例えば特許文献１に示されている。これによれば、暗い場所では蓄光材料が光って文字等のバックライトとして機能し、文字等が浮き出すように表わされて広告効果を一段と高めることが期待される。
【０００４】
しかしながら、合成樹脂に蓄光材料を練り込んだものは輝度があまり高くないことから文字等が不鮮明となりインパクトも弱い。そのため、ボールペンの本体の外側面に直接蓄光材料を塗布することが考えられるが、長期の使用によって文字等及び蓄光材が次第に摩耗することによって文字等の輪郭が変形して文字等を認識し難くなると共に、輝度が低下してくるという問題がある。この点、輝度低下の問題を解決するものとしては、例えば、特許文献２ではケーシングを二重構造とし、その内部に蓄光材料を充填することが提案されている。
【先行技術文献】
【特許文献】
【０００５】
【特許文献１】特開平９−１４２０８２号公報
【特許文献２】特開２００１−６３２６９号公報
【考案の概要】
【考案が解決しようとする課題】
【０００６】
しかし、特許文献２の方法によれば、輝度の向上は可能になるものの、蓄光材料の使用量が多くなることでコストアップを招き、販促品等として無償配布されるような用途の筆記具に適用することは難しいという問題がある。
また、ボールペンの本体に直接蓄光材料を塗布したものでは蓄光層及びその表面に印刷した文字等が擦れて認識性が低下するという問題がある。
さらに、蓄光材料を混入した合成樹脂材では輝度があまり高くないので文字等を明確に認識させることができないという問題がある。
【０００７】
そこで、本考案は、かかる問題点に鑑みなされたもので、蓄光材料の使用量を少なくしながら、使用日数が増えても蓄光性能及び広告効果を維持することが可能で、且つ、コストアップを招くことなく販促品として使用可能な筆記具を提供することを目的とする。
【課題を解決するための手段】
【０００８】
上記目的を達成するため、請求項１に記載の本考案は、外側表面に蓄光材料を塗布した蓄光層が設けられ、蓄光層の表面に文字や図形等を印刷した第一の筒状体と、第一の筒状体に配置された透明な第二の筒状体とを備えてなることを特徴とする筆記具を提供する。
【０００９】
上記目的を達成するため、請求項２に記載の本考案は、請求項１に記載の筆記具において、第一の筒状体を透明とすると共に第一の筒状体の一部に蓄光材料の塗布及び文字や図形等の印刷を行わない部分を設け、第二の筒状体及び第一の筒状体を透過した光が第一の筒状体の内側表面に到達可能とすることにより蓄光層の裏側からも蓄光させるようにしたことを特徴とする。
【００１０】
上記目的を達成するため、請求項３に記載の本考案は、請求項１又は２に記載の筆記用具において、蓄光材料は、高輝度長残光性蓄光顔料であることを特徴とする。
【００１１】
上記目的を達成するため、請求項４に記載の本考案は、請求項１又は２に記載の筆記具において、第二の筒状体の外側表面に設けられた蓄光層は、蓄光性能が高い粒度の粗い蓄光材料を下層とし、それよりも粒度の細かい蓄光材料をその上層となるようにして順次印刷によって塗布することにより複数層としたことを特徴とする。
【考案の効果】
【００１２】
本考案の筆記具は、第一の筒状体の表面に蓄光材料を印刷等によって塗布した蓄光層を形成し、その蓄光層の表面に文字や図形等を印刷して第一の筒状体を透明な第二の筒状体内に収容することとしたので長期間使用しても蓄光層の表面や文字等の印刷面が摩耗することなく、蓄光性能及び広告効果を長く維持することが可能となる。さらに、蓄光材料を印刷によって多層に塗布することとしたので広告効果の高い筆記用具を低コストで提供することができるという効果がある。
【図面の簡単な説明】
【００１３】
【図１】本考案に係る筆記具の一実施形態を示す正面図である。
【図２】図１に示す筆記具のＡ−Ａ断面図である。
【図３】（ａ）は胴軸、（ｂ）は蓄光軸、（ｃ）は保護軸を示す正面図である。
【図４】下部蓄光層と上部蓄光層を示す断面図である。
【図５】他の実施形態を示す断面図である。
【考案を実施するための形態】
【００１４】
［筆記具の構成］
以下、本考案に係る筆記具について、好ましい一実施形態に基づいて詳細に説明する。図１は本考案に係る筆記具の一実施形態を示す正面図、図２は図１に示す筆記具のＡ−Ａ断面図である。図示された筆記具１０は、具体的にはノック式の油性ボールペンであるが、これに限定されるものではなく、他にも例えば、水性ボールペン、ゲルインクボールペン、エマルジョンボールペン等であってもよい。また、ノック式以外の構造であってもよい。
【００１５】
筆記具１０は、概略として、交換可能でインク１２（図２に示す黒塗り部分）が充填されているリフィール（「替芯」とも言う）１と、このリフィール１の先端部以外の部分を収容する樹脂製の円筒状の胴軸（本体）２（図３（ａ）参照）と、この胴軸２に外嵌され、その外表面に蓄光材料が印刷によって塗布した蓄光層３０が設けられると共にその蓄光層３０の表面に文字や図形等の所望の印刷３１が施された透明樹脂製で円筒状の蓄光軸（第一の筒状体）３と、この蓄光軸３にさらに外嵌された透明樹脂製で円筒状の保護軸（第二の筒状体）４と、リフィール１の先端に設けられているチップ（筆先）１１の先端部を胴軸２の下部にネジ止め固定するとともに保護軸４の抜け止め具として機能する首軸（筆先ホルダ）５と、胴軸２の上端に設けられ胸ポケット等に挟むためのクリップ６と、リフィール１の上端に下面が当接し且つ胴軸２の上端から一部が露出するようにして胴軸２の上部に取り付けられた天ビス（「プッシュボタン」とも言う）７と、を備えて構成されている。
【００１６】
リフィール１は、図１に示すように、筆先となるチップ１１を先端に有しており、このチップ１１には、これよりも径が太く内部に所定量のインクが収納された図示しないインクカートリッジが連結されている。尚、リフィール１を胴軸２の内部に収納するに際しては、チップ１１に図示しないスプリングを外嵌し、その状態で胴軸２内に上端から挿入し、首軸５内の先端の図示しない開口孔にチップ１１の先端を挿入し、この状態のまま首軸５を胴軸２に固定することにより図１に示す状態になる。
【００１７】
図３（ａ），（ｂ），（ｃ）は、それぞれ図１に示す筆記具１０の胴軸２、蓄光軸３及び保護軸４の各形状を示す正面図である。まず、図３（ａ）に示すように、胴軸２は、先端（チップ１１側）に首軸５をネジ止めするための雌ねじ２１が設けられている。そして、この胴軸２に外嵌される蓄光軸３は、図３（ｂ）に示すように、円筒状とされ、その外側側面には全周及びほぼ全長にわたって後述する蓄光材料を印刷によって塗布した蓄光層３０が形成されている。そして、蓄光層３０の表面には文字や図形等の印刷３１が施されている。文字等の具体例として図３（ｂ）に示すのは、蓄光軸３の表面の一部又は全体に対して社名、電話番号、キャッチフレーズ、メッセージ、イラスト等（ここでは、社名である「イロハ観光ホテル」の文字、電話番号を示す電話の図形、電話番号を示す「０１２３−４５−６０００」の数字）による印刷３１を施したものである。尚、印刷３１の文字の色は、黒色に限らず何色であってもよいし、また、複数色を適宜使い分けてもよい。
【００１８】
次に、蓄光軸３に外嵌される保護軸４は、図３（ｃ）に示すように、円筒状とされ、その一端（クリップ６の固定側）には、図３（ａ）に示すような凸部６１に嵌合する凹部４１が設けられている。これにより、首軸５が緩んでいたとしても保護軸４が不用意に回転するのを防止することができる。尚、胴軸２、蓄光軸３及び保護軸４は筒状体であれば円筒状のものに限らず多角形状のものであってもよい。
【００１９】
蓄光材料としては高輝度長残光性蓄光顔料が望ましく、例えば、「根元特殊化学株式会社」製の「ルミノーバ（Lumi Nova）」（同社登録商標）を用いることができる。この「ルミノーバ」は放射性物質を全く含まず、一晩中発光するという特長を有している。そして、印刷（スクリーン、フレキソ、グラビア、オフセット等）、塗装（水性塗料、溶剤系塗料等）、樹脂成型（射出、押し出し、注型等）のいずれにも対応する。
【００２０】
一方、胴軸２及び蓄光軸３を透明樹脂によって形成し、蓄光層３０を蓄光軸３の全周及びほぼ全長にわたって形成するのではなく、一部に蓄光層３０を設けない部分を形成すると共にその部分には文字等の印刷も行わないようにすることで、保護軸４を透過した光を蓄光軸３のうち蓄光層３０が設けられていない部分及び胴軸２をさらに透過させて蓄光層３０の裏面側にも光が届くようにして蓄光させることができる。これにより、蓄光層３０の輝度の確保及び発光時間のさらなる延長を図ることができる。
【００２１】
ここで、蓄光材料は、一般に粒度が粗いほど輝度が高く、粒度が細かいほど輝度が低くなるという傾向があることが知られている。輝度が高い蓄光材料と遮光部分として作用する文字や図形などのコントラストが明確なほど蓄光軸３に記載された文字や図形の認識性が高くなる。しかしながら、文字や図形等を印刷すべきベースとなる蓄光層３０の表面が粗いと文字等を印刷した場合にその文字等の輪郭がはっきりせず文字等を明確に認識できないおそれがある。そのため、蓄光性能が高く輝度も高い粒度の粗い蓄光材を下層に配置することにより残光輝度を確保しつつ、さらにその上に粒度の細かい蓄光材料を配置し、必要があればさらにこれを繰り返すことにより蓄光層３０を複数層に形成することで蓄光性能及び輝度を確保すると共に、最上層に配置された蓄光層３０の粒度を細かいものとすることで印字した文字等の輪郭を明確にして認識性を高めることができる。
【００２２】
すなわち、図４に示すように、蓄光層３０を下層に粒度の粗い蓄光材料を印刷によって塗布した下部蓄光層３０ａと、下部蓄光層３０ａの上に粒度の細かい蓄光材料をさらに印刷によって塗布した上部蓄光層３０ｂによって形成することができる。このように、蓄光層３０を塗膜の性質を生かしながら複数層に形成することで蓄光性能及び輝度を高めると共に、文字等の輪郭をくっきりと印刷し、且つ、認識させることができる。
【００２３】
［実施形態の効果］
本実施形態に係る筆記具によれば、胴軸２の表面に蓄光材料を印刷によって塗布し、その上に文字やイラスト等の印刷３１を施し、透明の保護軸４内に収容することにより、蓄光層３０や印刷３１が擦れて文字等が認識できなくなったり、蓄光層３０が次第に摩耗して蓄光性能が低下したりするのを防止できるという効果がある。
【００２４】
また、印刷３１を施した蓄光軸３を独立の部材としたことにより、仮に、注文先からの筆記具１０の注文数が減ったりキャンセルされたりした場合でも、胴軸２及保護軸４を他の注文先や一般用に振り向けることができるため、ロスを最小限にとどめることができるという効果がある。
【００２５】
また、蓄光材料は、粒度の粗いものを印刷によって塗布した下部蓄光層３０ａの上にそれよりも粒度の細かい蓄光材料を印刷によって塗布した上部蓄光層３０ｂを形成する等のように蓄光層３０を複数層によって形成することにより、蓄光層３０の膜厚を厚くできると共に、残光輝度が高い粗い粒度の蓄光材料を使用しつつ粒度の細かい蓄光材料をその上に塗布しているので文字等の印刷がくっきりと仕上がるという効果がある。そして、蓄光層３０は粒度の違いによる蓄光性能の相乗効果が発揮されて残光時間及び輝度が高く維持することができる。
【００２６】
以上のように、本考案の好ましい実施形態について詳述したが、本考案は係る特定の実施形態に限定されるものではなく、実用新案登録請求の範囲に記載された本考案の要旨の範囲内において、種々の変形・変更が可能であることはいうまでもない。例えば、筆記具１０として、最も利用頻度の高いボールペンを用いたが、他の筆記具、例えば、鉛筆、マーキングペン、毛筆、絵筆、万年筆等であってもよい。
【００２７】
また、図５に示すように、胴軸２を蓄光軸３と一体にして胴・蓄光兼用軸８を形成し、これに蓄光層３０と図３（ｂ）に示した印刷３１を設ける構成にすることも可能であり、この場合、筆記具１０の軽量化及びさらなるコストダウンを図ることができる。
【００２８】
さらに、上記実施形態においては、胴軸２に印刷３１を施すものとしたが、印刷３１を保護軸４に設けることも可能である。この場合、印刷では長期の使用等に伴って擦れ、文字等が消失してしまう可能性が高くなる。そこで、印刷の場合には印刷３１に透明なシールを上から貼付して保護し、或いは印刷に代えて刻設（凹部加工）を用いるとよい。
【符号の説明】
【００２９】
１      リフィール
２      胴軸（本体）
３      蓄光軸（第一の筒状体）
４      保護軸（第二の筒状体）
５      首軸（筆先ホルダ）
６      クリップ
７      天ビス（プッシュボタン）
８      胴・蓄光兼用軸
１０      筆記具
１１      チップ（筆先）
２１      雌ねじ
３０      蓄光層
３０ａ      下部蓄光層
３０ｂ      上部蓄光層
３１      印刷
４１      凹部
６１      凸部
【図１】
0003172555.tif 000003
【図２】
0003172555.tif 000004
【図３】
0003172555.tif 000005
【図４】
0003172555.tif 000006
【図５】
0003172555.tif 000007